(57)【要約】【課題】  患部保護および床擦れ防止目的で使用するパッドに、適切な柔軟性と通気性を与え、さらに患者の微細な筋肉および皮膚面の動きが、患部に密着するパッドの位置ずれを誘発するような構造体に創り、床擦れ防止機能を向上すること。【解決手段】  シート状スポンジクッション体に、ちどり状に切り込みカット、または長孔を打ち抜き加工してなるスポンジメッシュマットとし、患部に対応して裁断しパッドとする。スポンジ体をメッシュ化する事により、微細な体の動きにスポンジ体の接する部位が少しずれるが、本スポンジメッシュパッドは全面が孔明きであるためパッド全面では、体に接する相当広い面積分のスポンジパッドの位置がずれたことになる。この効果が床擦れ防止機能を向上する。【選択図】図１
2008132293.tif 000002
【特許請求の範囲】
【請求項１】
患部を包み込める種々の形とサイズにカットされたシート状スポンジクッション体の全面に、患部を包み巻き込む方向と直角にちどり状に切り込みのカットを加工して成ることを特徴とする保護パッド。その都度必要サイズを患部に合わせて切り取りって使う、長尺シートも含むものとする。
【請求項２】
患部を包み込める種々の形とサイズにカットされたシート状スポンジクッション体の全面に、患部を包み巻き込む方向と直角にちどり状に長孔を打ち抜き加工して成ることを特徴とする保護パッド。その都度必要サイズを患部に合わせて切り取って使う、長尺シートも含むものとする。
【請求項３】
敷き込むことを目的としたシート状スポンジクッション体の全面に、一定方向の長孔をちどり状に打ち抜き加工して成ることを特徴とする長尺保護シート。
【発明の詳細な説明】
【技術分野】
【０００１】  本発明は、人または動物の患部の保護および床擦れの防止をする保護パッドに関するものである。
【背景技術】
【０００２】  人も動物も疾患、老衰による長期の伏床は生命にかかわる深刻な床擦れをもたらして居る。床擦れは、寝返りのできない態勢で長時間体の一部に荷重が集中して血行障害を起こすことにより発生する。動物では横臥しながらも床に体を擦り患部に創傷を伴う事も多い。床擦れ防止策として従来は、人手による定時間ごとの横臥体の体位変え、床にクッションマットを敷く、色々な型の枕クッションで患部を支え保護する、クッション材を患部に巻いたり貼ったりする、など行われた。いずれの方法も人手が掛かったり、クッションマットからずれたり、クッションマットが外れたり効果が不十分であった。
【特許文献】  特開１９９８−３３５７７号公報
【発明の開示】
【発明が解決しようとする課題】
【０００３】  従来の保護用クッションマットまたはパッドには次のような欠点があった。
（イ）クッションマットと言えども、体の一部に当たりきりに成ると床擦れになる。
（ロ）クッションマットを患部保護パッドとして体の一部に巻き付けたとき、体の動きに追従できず外れ易かった。特に動物ではすぐにむしり取る事が多い。
（ハ）クッションマットはスポンジ体であっても、人体および動物体へ密着する時は呼吸性は十分とは言えず、肌に汗をかいてしまう。
（ニ）患部部位ごとの専用保護のクッションマットまたはパッドが無い。
【課題を解決するための手段】
【０００４】  シート状のクッションマットまたはスポンジクッションマットに、ちどり状に一定方向に切り込みを入れ、この切り込みの方向と直角の方向にマット両端引っ張る事により切り込み部分が開いてメッシュ状のマットを得ることにより解決する。【０００５】  類似の手段として、シート状のクッションマットまたはスポンジマットに長孔を一定方向に、ちどり状に打ち抜いて得るメッシュ状のマットにて解決するが、本マットの両端が長孔の方向に直角方向に引っ張られるとき、その長孔の幅は広がり大きなメッシュ目となり通気性は更に向上する。
【発明の効果】
【０００６】  シート状のクッション性あるスポンジメッシュマットにて、患者の保護すべき体の各部位に対応した形状とサイズに自在にカット裁断し、保護パッドとして患部を保護する。その発明の技術的効果を以下説明する。
イ）スポンジメッシュパッドは、メッシュである事により、患者の極小の皮膚および筋肉の動きにより皮膚に接していたパッドのスポンジ部分がずれるので、体位移動に近い効果が得られ、床擦れ防止効果が高くなる。
ロ）スポンジメッシュパッドを患部に巻く時、ちどり状メッシュ切り込み方向を横にして巻くと、その切り込みが開きメッシュとなり高い柔軟性と伸縮性を表し、確りと患部にフイットし、メッシュ機構自体が絡み合うのでさらに外れにくくなる。
ハ）スポンジメッシュパッドは、メッシュ構造なので通気が良く肌を蒸らす事はない。
ニ）スポンジメッシュパッドを外さずメッシュの目から直接患部の肌が観察できる。
ホ）スポンジメッシュパッドは患者の各患部に対応して、シート状のスポンジメッシュマットを自在にカット裁断してパッドとして使用できる。
【発明を実施するための最良の形態】
【０００７】  以下、本発明の実施の形態について説明する。
（イ）シート状スポンジマット（１）の全面一定方向にちどり状に切り込み（２）を設ける。本マットは、切り込み方向に直角Ａ←→Ａ’方向に引っ張るとマット全面の切り込み箇所は開いて（３）スポンジメッシュマット図２を得る。
（ロ）シート状スポンジマットの全面一定方向に、ちどり状に長孔（４）を打ち抜き加工して成るスポンジメッシュマット図３を得る。
（ハ）前項（イ）、（ロ）に於ける全面にちどり状に切り込み、又は長孔を打ち抜くときの一定方向とは、切り込み及び長孔の方向が全部揃っていると言うことで、その方向はシート原反では規定しない。全方向が本発明の権利の対象である。
本発明は以上の構成で、これを使用するときは、保護対象となる多様な患部の部位に応じて、その形状とサイズに合わせて自在にカット裁断してスポンジメッシュパッドとして使用する。尚、保護対象患部が一般に共通していて保護パッドとして要求度の高い部位に対してはカット裁断済みの部位専用パッドを提供できるものとする。
【実施例１】
【０００８】  図４に示すようにスポンジメッシュパッドの患部保護への装着法は、その対象患部を一周またはクッション度、要求される厚みに応じて数周包帯状に巻き付け、その端部を巻き付けたスポンジメッシュパッドの網目の間または長孔の中へスポンジ体の柔らかさと伸縮性を利用して網目を縫うように押し込み、適応する端部の数カ所で固定する。
【実施例２】
【０００９】  図５は、動物にスポンジメッシュの網目または長孔に脚部を通してスポンジメッシュパッドを装着した事例で、パッドのずれを防ぎ、体に良くフイットする。四股だけでなく頭部、尾部、角などの突起部位を通うしてパッドを装着する実例である。
【実施例３】
【００１０】  図６は、動物胴体の床擦れを防ぐ標準的なプレカット裁断された、スポンジメッシュパッドの実施例である。
【実施例４】
【００１１】  スポンジメッシュパッドの簡単な患部への巻止め例を示す。
図７は巻き込み止め例、図８は合わせ止め例、図９は縫い込み止め例である。
【図面の簡単な説明】
【００１２】
【図１】  メッシュの切り込み加工をしたスポンジマットの斜視図
【図２】  メッシュの切り込みを広げたスポンジメッシュマットの斜視図
【図３】  長孔打ち抜きによるスポンジメッシュマットの斜視図
【図４】  動物脚部に装着したスポンジメッシュパッドの斜視図
【図５】  網目に動物脚部を通し装着したスポンジメッシュパッドの斜視図
【図６】  動物胴体部に装着したスポンジメッシュパッドの斜視図
【図７】  巻き込み止めの斜視図
【図８】  合わせ止めの斜視図
【図９】  縫い込み止めの斜視図
【符号の説明】
【００１３】      １  シート状スポンジマットの原反
２  メッシュの切り込み
３  切り込みを引っ張り広げたメッシュ部分
４  打ち抜いた長孔
５  スポンジメッシュパッド端部をメッシュ孔に差し込み固定した部位
６  スポンジメッシュの孔同志を同質スポンジの紐にて縫い込み固定した部位
【図１】
2008132293.tif 000003
【図２】
2008132293.tif 000004
【図３】
2008132293.tif 000005
【図４】
2008132293.tif 000006
【図５】
2008132293.tif 000007
【図６】
2008132293.tif 000008
【図７】
2008132293.tif 000009
【図８】
2008132293.tif 000010
【図９】
2008132293.tif 000011